(57)【特許請求の範囲】
【請求項１】
ＤＶＤ−Ｖｉｄｅｏディスクを再生するディスク再生装置において、ディスクに記録されたビデオマネージャ情報（ＶＭＧＩ）内のタイトル・サーチポインタ・テーブルを読み出し記憶すると共に、上記ディスクのフォーマットに規定されているファーストプレイ・ プログラムチェーンの実行前に本体を停止状態に移行させる手段、上記記憶手段に記憶されたタイトル・サーチポインタ・テーブルの情報をもとに、タイトル・プレイ・コマンドを実行する手段を備えたディスク再生装置。
【請求項２】
ＤＶＤ−Ｖｉｄｅｏディスクを再生するディスク再生方法において、ディスクに記録されたビデオマネージャ情報（ＶＭＧＩ）内のタイトル・サーチポインタ・テーブルを読み出し記憶し、記憶後上記ディスクのフォーマットに規定されているファーストプレイ・ プログラムチェーンの実行前に本体を停止状態に移行させた後、上記記憶手段に記憶されたタイトル・サーチポインタ・テーブルの情報をもとに、タイトル・プレイ・コマンドを実行するディスク再生方法。
【請求項３】
ＤＶＤ−Ｖｉｄｅｏディスクを再生するディスク再生方法において、ディスクに記録されたビデオマネージャ情報（ＶＭＧＩ）内のタイトル・サーチポインタ・テーブルを読み出し記憶し、記憶後上記ディスクフォーマットに規定されているファーストプレイ・ プログラムチェーンの実行前に本体を停止状態に移行させた後、上記記憶手段に記憶されたタイトル・サーチポインタ・テーブルのタイトルに対して順に、タイトル・プレイ・コマンドを実行し、記録されたタイトルを再生し終えると本体を停止させるディスク再生方法。
【発明の詳細な説明】
【０００１】
【発明の属する技術分野】
この発明は、ＤＶＤ−Ｖｉｄｅｏディスクの記録媒体からデータを再生する再生装置及びその記録媒体からのデータの再生方法に関するものである。
【０００２】
【従来の技術】
ＤＶＤ（digital versatile disc）−Ｖｉｄｅｏディスク再生機器は、１枚のディスクからディスクに記録されたナビゲーションコマンドに従ってデータを再生することで、コンテンツプロバイダの意志を尊重しつつユーザーにその内容を提示する。従ってディスクの設定が、最初にメニュー画面等の再生になっている場合は、ユーザーが操作し映画等のコンテンツの再生を選択入力しない限り、再生動作に移行しない場合も考えられる。
【０００３】
この再生動作を図５の従来のＤＶＤ−Ｖｉｄｅｏディスク再生機器の動作を示すフローチャートで説明する。ディスクの再生を開始する（ＳＴ１）と、ディスクよりビデオ・マネージャ情報（ＶＭＧＩ）を取得する（ＳＴ２）。続いて、ＤＶＤ−Ｖｉｄｅｏ規格においてはファーストプレイ・プログラムチェーン（ＦＰ＿ＰＧＣ）を最初に実行すること（ＳＴ３）により、メニュー画面を再生表示（ＳＴ４）し、ユーザー選択により（ＳＴ５）、本編再生を行う（ＳＴ６）。
それに対して、同じディスクメディアであるコンパクトディスクの場合は、ディスク再生が行われると自動的にコンテンツの再生を行うようになっている。
【０００４】
【発明が解決しようとする課題】
特に車載環境等ではディスク挿入、あるいは電源投入後に、自動的にコンテンツの再生が行われるコンパクトディスクのような仕様が適合している。
また、複数枚のディスクを納め、ディスク交換を行い再生するチェンジャ機構を持つディスク再生機器の場合、ユーザーの意志としては一枚のディスクの再生が完了すると、ユーザーのディスク交換の指令なく自動的に次あるいは他のディスクの再生を開始するような場合、ＤＶＤ−Ｖｉｄｅｏ規格に従って再生する限り自動で次のディスクに交換する事はきわめて難しい。
【０００５】
この発明は、上記に鑑みてなされたもので、ＤＶＤ−Ｖｉｄｅｏディスクの再生において、ディスク挿入、あるいは電源投入後に、ユーザーがメニュー画面で選択入力することなく、自動的にコンテンツの再生動作を開始する再生装置及びその再生方法を得ることを目的とする。
【０００６】
【課題を解決するための手段】
この発明に係わるディスク再生装置は、ＤＶＤ−Ｖｉｄｅｏディスクを再生するディスク再生装置において、ディスクに記録されたビデオマネージャ情報（ＶＭＧＩ）内のタイトル・サーチポインタ・テーブルを読み出し記憶すると共に、上記ディスクのフォーマットに規定されているファーストプレイ・ プログラムチェーンの実行前に本体を停止状態に移行させる手段、上記記憶手段に記憶されたタイトル・サーチポインタ・テーブルの情報をもとに、タイトル・プレイ・コマンドを実行する手段を備えたものである。
【０００７】
また、この発明に係わるディスク再生方法は、ＤＶＤ−Ｖｉｄｅｏディスクを再生するディスク再生方法において、ディスクに記録されたビデオマネージャ情報（ＶＭＧＩ）内のタイトル・サーチポインタ・テーブルを読み出し記憶し、記憶後上記ディスクのフォーマットに規定されているファーストプレイ・ プログラムチェーンの実行前に本体を停止状態に移行させた後、上記記憶手段に記憶されたタイトル・サーチポインタ・テーブルの情報をもとに、タイトル・プレイ・コマンドを実行するものである。
【０００８】
さらにまた、ＤＶＤ−Ｖｉｄｅｏディスクを再生するディスク再生方法において、ディスクに記録されたビデオマネージャ情報（ＶＭＧＩ）内のタイトル・サーチポインタ・テーブルを読み出し記憶し、記憶後上記ディスクフォーマットに規定されているファーストプレイ・ プログラムチェーンの実行前に本体を停止状態に移行させた後、上記記憶手段に記憶されたタイトル・サーチポインタ・テーブルのタイトルに対して順に、タイトル・プレイ・コマンドを実行し、記録されたタイトルを再生し終えると本体を停止させるものである。
【０００９】
【発明の実施の形態】
実施の形態１．
図1 はこの発明の実施の形態１のディスク再生装置を示すブロック図である。図２はこのディスク再生装置の動作を説明するフローチャートである。図３はＤＶＤ−Ｖｉｄｅｏディスクの論理フォーマットの構造を示す図で、そのＤＩＳＣ構造とＶＭＧ構造を表し、図４はそのＶＭＧＩ構造とＴＴ＿ＳＲＰＴ構造を表す。図３と図４は連続しており、図３のＡ，Ｂが図４のＡ，Ｂにつながる。ディスク１がターンテーブル３に載せられ、クランパ２によりチャッキングされるとスピンドルモータ４により回転させられる。次に、光学ピックアップ５によりディスク１に記録されているデータを読み出し（図２のＳＴ１１）、復調手段６にて復調することにより、ＤＶＤ−Ｖｉｄｅｏディスクの場合、映画等の画像をユーザーは楽しむことが出来る。
【００１０】
この映画等の画像を再生するとき、ディスク内のコンテンツについての情報がディスク（ＤＩＳＣ）内のビデオ・マネージャ（ＶＭＧ）内のビデオ・マネージャ情報（ＶＭＧＩ）に記録されている（図３）。このＶＭＧＩの中にはタイトル・サーチポインタ・テーブル（ＴＴ＿ＳＲＰＴ）が記録されており、タイトル・サーチポインタ・テーブルには、コンテンツ内のタイトル数と各タイトルの開始ポイント（先頭アドレス）が記録されている（図４）。ＤＶＤ−Ｖｉｄｅｏディスクの論理フォーマットでは、ＶＭＧＩの読み出し取得後にファーストプレイ・プログラムチェーン（ＦＰ＿ＰＧＣ）が存在している場合、本来ならば、これを実行し、そのファーストプレイ・プログラムチェーンに記述されているコマンドに従った動作を行わなければならない。
【００１１】
この発明では、ＶＭＧＩ解析手段８にてＶＭＧＩ内の情報を取得解析し、タイトル・サーチポインタ・テーブル内の情報を、タイトル数と各タイトルの先頭アドレスについて、記憶手段９に記憶させる（図２のＳＴ１２）。次に制御手段でプレーヤを停止させ、ＳＴＯＰ状態への移行させる（ＳＴ１３）。このＳＴＯＰ状態に移行は、先に述べたＤＶＤ−Ｖｉｄｅｏディスクの論理フォーマットに規定されているファーストプレイ・プログラムチェーンの実行前に行われ、この動作（ＳＴＯＰ状態に移行）を行うことにより、ファーストプレイ・プログラムチェーンの実行を回避することが可能となる。
【００１２】
なお、このＳＴＯＰ状態への移行は、メニュー表示コマンドが出たら、それをメニュー状態検知手段７で検知し、メニュー状態に入ったことを確認して、移行させてもよい。
【００１３】
次に記憶手段９に記憶させたＴＴ−ＳＲＰＴに記述されている情報で、タイトル数と各タイトルの先頭アドレスに基づいて、各タイトルの先頭へタイトル・プレイ・ コマンドを実行する。Ｔｉｔｌｅ＿Ｐｌａｙ実行手段１２がＤＶＤプレーヤの制御を行う制御手段１０に指令して、初期化したタイトルナンバー（ＴＴＮ＝１）より（ＳＴ１４）、そのタイトルの先頭アドレスに基づいて、そのタイトルの再生を行う（ＳＴ１５）。そのタイトルの再生終了がＴｉｔｌｅ終了判定手段１１（ＳＴ１６）により確認されると、タイトルナンバー（ＴＴＮ）がタイトル数（ＴＴ＿ＳＲＰ＿ＮＳ）に達したか否かを判断し、達していないときは、一旦停止する（ＳＴ１８）。この停止でタイトル・プレイ・ コマンドの実行が禁止されている場合は、これを回避するためである。続いて、記憶手段９に記憶させたＴＴ−ＳＲＰＴに記述されている情報で、次のタイトルナンバー（ＴＴＮ＝ＴＴＮ+ １）（ＳＴ１９）の再生を、そのタイトルの先頭アドレスに基づいて実行する。
【００１４】
順次再生が終了し、タイトル・サーチポインタ・テーブルに記述されている情報で、全てのタイトルについて再生が終了したら（ＳＴ１７）、そのディスクの再生を終了し、ＳＴＯＰ状態に移行する（ＳＴ２０）。この全てのタイトルについての再生の終了はタイトル・サーチポインタ・テーブル内のタイトル・サーチポインタ・テーブル情報の中にタイトル数（ＴＴ＿ＳＲＰ＿ＮＳ）が記載されているので、これを用いて判断する。
【００１５】
このような構成にすることにより、ＤＶＤ−Ｖｉｄｅｏディスクをプレーヤに挿入した際に、ディスクに対してコンテンツプロバイダ側が設定した動作（例えば、メニュー画面でユーザーに選択させることにより本編の再生を行うなど、自動的に本編の再生を行わないような設定）どおりではなく、コンパクトディスクをプレーヤに挿入した場合と同様な「自動的にコンテンツの再生動作を開始する」という動作を行うプレーヤを得ることが出来る。
【００１６】
また、ファーストプレイ・プログラムチェーンの実行前に、一旦ＳＴＯＰ状態を経ることにより、上記の動作をＤＶＤ−Ｖｉｄｅｏディスクの論理フォーマットに拘束されることなしに実現することが可能となる。さらに、全てのタイトルについて順に再生していくことが可能となり、カラオケ等のディスクで一つのタイトルの再生が終了した後には、メニュー画面に移行してユーザーの選択を待つような設定のディスクであっても、自動的に全てのタイトルを連続して再生することが可能となる。
【００１７】
実施の形態２．
さらに、全てのタイトルの再生が終了した際に、それを検知してＳＴＯＰ状態に移行することにより、例えば、複数のディスクを収納し、機構的に切り換え再生するいわゆるチェンジャ・プレーヤにて、たとえ、収納されているディスクのタイトル再生が終了した場合に、メニュー画面に移行し、ユーザーの選択を待つ仕様になっていたとしても、自動的に順次ディスクを切り換えて、この発明を適用することにより、連続的に再生することが可能となる。
【００１８】
【発明の効果】
以上説明したように、この発明のディスク再生装置によれば、ＤＶＤ−Ｖｉｄｅｏディスクを再生するディスク再生装置において、ディスクに記録されたビデオマネージャ情報（ＶＭＧＩ）内のタイトル・サーチポインタ・テーブルを読み出し記憶すると共に、上記ディスクのフォーマットに規定されているファーストプレイ・ プログラムチェーンの実行前に本体を停止状態に移行させる手段、上記記憶手段に記憶されたタイトル・サーチポインタ・テーブルの情報をもとに、タイトル・プレイ・コマンドを実行する手段を備えたので、ディスク挿入、あるいは電源投入後に、ユーザーがメニュー画面で選択入力することなく、自動的にコンテンツの再生動作を開始することができる。
【００１９】
また、この発明のディスク再生方法によれば、ＤＶＤ−Ｖｉｄｅｏディスクを再生するディスク再生方法において、ディスクに記録されたビデオマネージャ情報（ＶＭＧＩ）内のタイトル・サーチポインタ・テーブルを読み出し記憶し、記憶後上記ディスクのフォーマットに規定されているファーストプレイ・ プログラムチェーンの実行前に本体を停止状態に移行させた後、上記記憶手段に記憶されたタイトル・サーチポインタ・テーブルの情報をもとに、タイトル・プレイ・コマンドを実行するので、ディスク挿入、あるいは電源投入後に、ユーザーがメニュー画面で選択入力することなく、自動的にコンテンツの再生動作を開始することができる。
【００２０】
また、ＤＶＤ−Ｖｉｄｅｏディスクを再生するディスク再生方法において、ディスクに記録されたビデオマネージャ情報（ＶＭＧＩ）内のタイトル・サーチポインタ・テーブルを読み出し記憶し、記憶後上記ディスクフォーマットに規定されているファーストプレイ・ プログラムチェーンの実行前に本体を停止状態に移行させた後、上記記憶手段に記憶されたタイトル・サーチポインタ・テーブルのタイトルに対して順に、タイトル・プレイ・コマンドを実行し、記録されたタイトルを再生し終えると本体を停止させるので、ディスク挿入、あるいは電源投入後に、ユーザーがメニュー画面で選択入力することなく、自動的にコンテンツの再生動作を開始することができると共に、記録されたタイトルを再生し終えると本体を停止させるから、チャンジャ等を構成した場合にディスクチェンジを行うことができる。
【図面の簡単な説明】
【図１】  この発明の実施の形態１のディスク再生装置を示すブロック図である。
【図２】  実施の形態１のディスク再生装置の動作を説明するフローチャートである。
【図３】  ＤＶＤ−Ｖｉｄｅｏディスクの論理フォーマットの構造を示す図で、そのＤＩＳＣ構造とＶＭＧ構造を表す。
【図４】  図３と連続し、そのＶＭＧＩ構造とＴＴ＿ＳＲＰＴ構造を表す。
【図５】  従来のＤＶＤ−Ｖｉｄｅｏディスク再生機器の動作を説明するフローチャートである。
【符号の説明】
１  ディスク                        ２  クランパ
３  ターンテーブル                  ４  スピンドルモータ
５  光学ピックアップ                ６  復調手段
７  メニュー状態検知手段            ８  ＶＭＧＩ解析手段
９  記憶手段                      １０  制御手段
１１  Ｔｉｔｌｅ終了判定手段        １２  Ｔｉｔｌｅ＿Ｐｌａｙ実行手段。
【図１】
0003833456.tif 000002
【図２】
0003833456.tif 000003
【図３】
0003833456.tif 000004
【図４】
0003833456.tif 000005
【図５】
0003833456.tif 000006